(57)【特許請求の範囲】
【請求項１】
上面を開口したコンロ本体の外周に、フランジが周設され、前記フランジに、前記フランジの外端から上方へ立ち上がる縦壁部と、その縦壁部の上端から外側へ突出する横壁部とからなる断面倒Ｌ字状の立ち上げ部が連設されており、前記立ち上げ部の全周に、前記立ち上げ部が嵌合する断面倒Ｌ字状の挿着溝を下面から形成したシール部材が装着されてなるビルトインコンロであって、
前記立ち上げ部における前記横壁部に、前記横壁部の突出方向と反対側へ突出して前記シール部材の装着状態で前記挿着溝の内面に係止する係止部が、前記立ち上げ部に沿って所定間隔で複数配置されてなることを特徴とするビルトインコンロ。
【請求項２】
前記係止部は、前記立ち上げ部から切り起こし形成される係止突起であることを特徴とする請求項１に記載のビルトインコンロ。
【発明の詳細な説明】
【技術分野】
【０００１】
本発明は、キッチンのカウンターに組み込まれるビルトインコンロに関する。
【背景技術】
【０００２】
ビルトインコンロは、特許文献１に開示されるように、コンロ本体をキッチンのカウンタートップに設けた開口から組み入れて、コンロ本体の上端外周縁に設けたフランジを開口の周縁に係止させることで、カウンター内に吊り下げ支持される。コンロ本体の上面開口には、トッププレートが被せられ、フランジには、コンロ本体とカウンタートップとの間をシールするために、シール材が全周に亘って装着される。このシール材の装着は、フランジの外周端を上方に立ち上げてその上端を外側に折り曲げた断面Ｌ字状の立ち上げ部を、シール材に設けた同形状の挿着溝に挿入することで行われる。
【先行技術文献】
【特許文献】
【０００３】
【特許文献１】特開平１０−２２０７７９号公報
【発明の概要】
【発明が解決しようとする課題】
【０００４】
上記従来のビルトインコンロにおいては、カウンターに組み付ける際、フランジに予めシール材を装着した状態で、コンロ本体をカウンタートップの開口から吊り下げることになる。しかし、この作業の際、フランジを掴む手指がシール部材の内側に引っ掛かりやすく、シール部材がフランジの立ち上げ部から外側に外れることがある。このため、コンロ本体を再びカウンターから取り出してシール部材を装着し直す作業が必要となっていた。
【０００５】
そこで、本発明は、シール部材をコンロ本体のフランジから外れにくくしてカウンターへの組み付けに係る作業性を良好としたビルトインコンロを提供することを目的としたものである。
【課題を解決するための手段】
【０００６】
上記目的を達成するために、請求項１に記載の発明は、上面を開口したコンロ本体の外周に、フランジが周設され、前記フランジに、前記フランジの外端から上方へ立ち上がる縦壁部と、その縦壁部の上端から外側へ突出する横壁部とからなる断面倒Ｌ字状の立ち上げ部が連設されており、前記立ち上げ部の全周に、前記立ち上げ部が嵌合する断面倒Ｌ字状の挿着溝を下面から形成したシール部材が装着されてなるビルトインコンロであって、
前記立ち上げ部における前記横壁部に、前記横壁部の突出方向と反対側へ突出して前記シール部材の装着状態で前記挿着溝の内面に係止する係止部が、前記立ち上げ部に沿って所定間隔で複数配置されてなることを特徴とする。
請求項２に記載の発明は、請求項１の構成において、前記係止部は、前記立ち上げ部から切り起こし形成される係止突起であることを特徴とする。
【発明の効果】
【０００７】
請求項１に記載の発明によれば、シール部材の装着状態で挿着溝の内面に係止する係止部を、立ち上げ部に沿って所定間隔で複数配置したことで、シール部材がコンロ本体のフランジから外れにくくなり、カウンターへの組み付けに係る作業性が良好となる。
請求項２に記載の発明によれば、請求項１の効果に加えて、係止部を、立ち上げ部から切り起こし形成される係止突起としたことで、立ち上げ部の形成と同時に係止突起を形成でき、係止突起を設けても製造工程が増えることがない。
【図面の簡単な説明】
【０００８】
【図１】ビルトインコンロの斜視図である。
【図２】トッププレートを取り外した状態の斜視図である。
【図３】フランジ部分の横断面図である。
【図４】シール部材の横断面図である。
【図５】フランジの切り欠き部分を示す斜視図である。
【図６】切り欠きの位置でのフランジ部分の横断面図である。
【発明を実施するための形態】
【０００９】
以下、本発明の実施の形態を図面に基づいて説明する。
図１は、ビルトインコンロの一例を示す斜視図である。このビルトインコンロ１は、上面を開口した箱状のコンロ本体２内に、３つのコンロ３，３・・と、グリル４とを設けて、コンロ本体２の開口をトッププレート５で閉塞してなる。コンロ３は、コンロ本体２の前側左右と中央後側（図１の左下側を前方とする。）とに配置されて、トッププレート５に形成した開口に、コンロバーナのバーナ本体６を露出させて炎口を形成するバーナキャップ７を載置している。８，８・・は五徳である。
グリル４は、前側左右のコンロ３，３の間に配置されて、前面にグリル扉９及び取っ手１０を備える。トッププレート５の後部には複数の排気口１１，１１・・が設けられている。
コンロ本体２の前面には、各コンロ３及びグリル４に対応した操作ボタン１２，１２・・が設けられると共に、各操作ボタン１２の上方に、火力調整レバー１３が設けられている。１４は操作パネルである。
【００１０】
そして、コンロ本体２の開口の外周縁部には、図２に示すように、フランジ１５が周設されて、このフランジ１５にシール部材１６が全周に亘って装着されている。フランジ１５は、キッチンのカウンタートップに形成された開口の周縁に係止することで、コンロ本体２をカウンター内で吊り下げ支持するもので、シール部材１６は、組み付け状態でカウンタートップに当接して開口とコンロ本体２との間をシールする。シール部材１６には、図３に示すように、トッププレート５の外周縁に形成したカール部１７が載置されて、フランジ１５を含む開口全体を閉塞するようになっている。
また、フランジ１５には、外端から上方に立ち上がる縦壁部１９と、縦壁部１９の上端を外側に折り返した横壁部２０とからなる断面倒Ｌ字状の立ち上げ部１８が一体形成されている。
【００１１】
一方、シール部材１６は、シリコンゴム等の弾性材料で形成されて、縦壁部１９よりも上下方向に肉厚で、横壁部２０よりも幅方向に広くなる本体部２１と、その本体部２１の外周に延設されてトッププレート５のカール部１７が載置される薄肉部２２とからなる。２３は、本体部２１の外側底面に突設される突条である。
また、シール部材１６の本体部２１には、図４にも示すように、フランジ１５の立ち上げ部１８と同じ断面倒Ｌ字状の挿着溝２４が、下面から形成されている。すなわち、挿着溝２４の下方を押し広げて立ち上げ部１８を挿入し、立ち上げ部１８を挿着溝２４に嵌合させることで、図３のようにシール部材１６は全周に亘ってフランジ１５に装着される。このとき立ち上げ部１８の横壁部２０が、シール部材１６の上方への抜け止めとして機能する。
【００１２】
ここで、フランジ１５の立ち上げ部１８には、図５に示すように、縦壁部１９の手前から縦壁部１９とに跨がって断面Ｌ字状に開口する切り欠き２５が、所定間隔（例えば４０ｍｍ間隔）をおいて形成されており、切り欠き２５の上端に位置する横壁部２０の内側端面には、内側へ突出する係止部としての係止突起２６が切り起こし形成されている。この係止突起２６は、平面視四角形状で、その突出端面が立ち上げ部１８の縦壁部１９よりも内側に位置する長さとなっている。
よって、フランジ１５にシール部材１６を装着した状態では、図６に示すように、係止突起２６が挿着溝２４内でシール部材１６を内側へ押圧して弾性変形させ、横壁部２０と反対側でシール部材１６に係止して上方への抜け止めとして機能することになる。
【００１３】
以上の如く構成されたビルトインコンロ１においては、キッチンのカウンターに組み付ける際、図２のようにトッププレート５を取り付けず、フランジ１５にシール部材１６を装着した状態のコンロ本体２を、カウンタートップに形成した開口に上方から組み付ける。すると、フランジ１５が開口の周縁に係止してコンロ本体２を吊り下げ支持することになるが、このときフランジ１５を把持する手指がシール部材１６に引っ掛かったりしても、シール部材１６はフランジ１５に設けた複数の係止突起２６，２６・・によって内側での抜け止めがされているため、シール部材１６がフランジ１５から外れるおそれが少なくなる。例え一部が外れたとしても、残りの係止突起２６がシール部材１６に係止しているので、シール部材１６が全周に亘って外れることはない。よって、スムーズに組み付け作業を行うことができる。コンロ本体２の組み付け後、上方からトッププレート５を取り付ければ、ビルトインコンロ１の組み付けは完了する。
【００１４】
このように、上記形態のビルトインコンロ１によれば、立ち上げ部１８における横壁部２０に、横壁部２０の突出方向と反対側へ突出してシール部材１６の装着状態で挿着溝２４の内面に係止する係止部（係止突起２６）を、立ち上げ部１８に沿って所定間隔で複数配置したことで、シール部材１６がコンロ本体２のフランジ１５から外れにくくなり、カウンターへの組み付けに係る作業性が良好となる。
特にここでは、係止部を、立ち上げ部１８から切り起こし形成される係止突起２６としているので、立ち上げ部１８の形成と同時に係止突起２６を形成でき、係止突起２６を設けても製造工程が増えることがない。
【００１５】
なお、係止突起は、平面視四角形状に限らず、平面視が三角形状や台形状に突出するものであってもよく、シール部材の内面に係止可能であれば、形状は適宜変更可能である。
また、係止部としては係止突起に限らず、別体の突起やピン部材を立ち上げ部に取り付けることで形成することも可能である。係止部の間隔も適宜変更して差し支えない。
その他、ビルトインコンロの他の構成も、上記形態に限定するものではなく、例えばコンロが２口であったりしても本発明の採用は可能である。
【符号の説明】
【００１６】
１・・ビルトインコンロ、２・・コンロ本体、３・・コンロ、４・・グリル、５・・トッププレート、１５・・フランジ、１６・・シール部材、１８・・立ち上げ部、１９・・縦壁部、２０・・横壁部、２１・・本体部、２２・・薄肉部、２４・・挿着溝、２５・・切り欠き、２６・・係止突起。
【図１】
0006587494.tif 000002
【図２】
0006587494.tif 000003
【図３】
0006587494.tif 000004
【図４】
0006587494.tif 000005
【図５】
0006587494.tif 000006
【図６】
0006587494.tif 000007